(57)【要約】【課題】挿抜操作における困難性を軽減可能なロック機構を提供する。【解決手段】ロック機構２０は、ストッパ２２と、係止部２１と、作動機構２３と、を備える。ストッパ２２は、ケージ１４に挿入可能なプラガブル光インタフェースモジュール１０に設けられている。係止部２１は、ストッパ２２に当接するロック位置Ｐ１と、ストッパ２２から回避するロック解除位置とに移動に支持されている。作動機構２３は、プラガブル光インタフェースモジュール１０がケージに押し込まれることにより、係止部２１をロック位置Ｐ１と、ロック解除位置とに保持する。【選択図】図２
2020170039.tif 000002
【特許請求の範囲】
【請求項１】
ケージに挿入可能なプラガブル光インタフェースモジュールに設けられたストッパと、
前記ストッパに当接するロック位置と、前記ストッパから回避するロック解除位置とに移動可能な係止部と、
前記プラガブル光インタフェースモジュールが前記ケージに押し込まれることにより、前記係止部を前記ロック位置と、前記ロック解除位置とに保持可能な作動機構と、
を備えるロック機構。
【請求項２】
前記作動機構は、
前記ケージに設けられ、
前記ケージに前記プラガブル光インタフェースモジュールを押し込む際に、前記プラガブル光インタフェースモジュールの押込力により、押込方向に移動可能な押込みロッドと、
前記押込みロッドで押し込まれることにより、押込方向に対して交差する方向に回転する回転軸と、
前記回転軸に設けられ、前記係止部を前記ロック位置と前記ロック解除位置とに保持可能な保持部と、
を備える請求項１に記載のロック機構。
【請求項３】
前記プラガブル光インタフェースモジュールは、
押込みロッドに当接することにより、前記プラガブル光インタフェースモジュールの押込力により、前記押込みロッドを押込方向に移動可能なプリント基板を備える請求項２に記載のロック機構。
【請求項４】
前記保持部は、カム部である請求項２または請求項３に記載のロック機構。
【請求項５】
前記作動機構は、
前記押込みロッドの押込力により前記回転軸を押込方向に対して交差する方向に回転させる回転機構を備える請求項２から４の何れか一項に記載のロック機構。
【請求項６】
前記作動機構は、
前記回転軸を回転可能に支持する支持部を備える請求項２から５の何れか一項に記載のロック機構。
【請求項７】
前記作動機構は、
前記保持部に対して前記押込みロッドの反対側に設けられ、前記回転軸を回転可能に支持する支持部と、
前記支持部および前記保持部の間に介在され、前記回転軸を前記押込みロッドに当接する弾性部材と、
を備える請求項２から６の何れか一項に記載のロック機構。
【請求項８】
前記弾性部材は、コイルバネである請求項７に記載のロック機構。
【請求項９】
前記係止部は、
前記ケージに設けられ、
前記保持部により移動する方向に延びる脚部と、
前記脚部に対して交差する方向に延びて、先端部が前記ストッパに当接可能な当接部と、
を有する請求項２から８の何れか一項に記載のロック機構。
【請求項１０】
前記ストッパは、前記プラガブル光インタフェースモジュールの端部に設けられた請求項１から９の何れか一項に記載のロック機構。
【発明の詳細な説明】
【技術分野】
【０００１】
本発明は、ロック機構に関する。
【背景技術】
【０００２】
特許文献１の光トランシーバの挿抜機構には、ベイルを下方に回転する操作により光トランシーバをケージからロック解除する構成と、プルタブを前方に引く操作により光トランシーバをケージからロック解除する構成とが開示されている。なお、ベイルの操作でロックを解除する際には、例えば、光トランシーバの光レセプタクルから光ファイバを抜いて取り外した後、ベイルを下方に回転操作して光トランシーバをケージからロック解除する。以下、光トランシーバを「プラガブル光インタフェースモジュール」と称する。
【先行技術文献】
【特許文献】
【０００３】
【特許文献１】特開２０１８−８１７６７号公報
【発明の概要】
【発明が解決しようとする課題】
【０００４】
しかし、特許文献１のベイルによる挿抜機構は、ベイルの操作でロックを解除する際に、プラガブル光インタフェースモジュールから光ファイバを抜いて取り外す操作が必要となる。プラガブル光インタフェースモジュールから光ファイバを取り外した場合、例えば、光コネクタの端面に塵埃などが付着して光コネクタの端面が汚れることがある。
このため、挿抜操作が困難となる場合がある。
また、ベイルのなかには、ベイルを下方まで回転した状態において、プラガブル光インタフェースモジュールの底面よりも低い位置まで下がるものがある。このため、ベイルの可動範囲に位置する物にベイルが当たることがあり、挿抜操作が困難となる場合がある。
また、特許文献１のプルタブによる挿抜機構は、プルタブの操作でロックを解除する際に、例えば、前方に引いたプルタブが装置の前面板に接触することが考えられる。このため、プルタブが邪魔になることがあり、挿抜操作が困難となる場合がある。
【０００５】
本発明の目的は、上述した課題のいずれかを解決するロック機構を提供する。
【課題を解決するための手段】
【０００６】
第一の態様のロック機構は、ケージに挿入可能なプラガブル光インタフェースモジュールに設けられたストッパと、前記ストッパに当接するロック位置と、前記ストッパから回避するロック解除位置とに移動可能な係止部と、前記プラガブル光インタフェースモジュールが前記ケージに押し込まれることにより、前記係止部を前記ロック位置と、前記ロック解除位置とに保持可能な作動機構と、を備える。
【発明の効果】
【０００７】
上述の態様によれば、挿抜操作における困難性を軽減できる。
【図面の簡単な説明】
【０００８】
【図１】第一実施形態におけるロック機構をロック位置に配置した状態を示す模式図である。
【図２】図１のＩＩ部を拡大した模式図である。
【図３】図１のＩＩＩ−ＩＩＩ線に沿う断面図である。
【図４】第一実施形態におけるロック機構をロック解除位置に配置した状態を示す模式図である。
【図５】図４のＶ−Ｖ線に沿う断面図である。
【図６】最小構成の第二実施形態におけるロック機構をロック位置に配置した状態を示す模式図である。
【発明を実施するための形態】
【０００９】
以下、各実施形態について、図面を用いて説明する。すべての図面において同一または相当する構成には同一の符号を付し、共通する説明は省略する。
【００１０】
＜第一実施形態＞
ロック機構２０の第一実施形態について、図１から図５を参照して説明する。以下、プラガブル光インタフェースモジュール１０のロック機構２０を「ロック機構２０」と略記する場合がある。
【００１１】
なお、本実施形態は、プラガブル光インタフェースモジュール１０を実装するスペースを確保可能な電気コネクタに構成に適用可能である。例えば、電気コネクタとして、ＣＦＰ（Centum gigabit Form Factor Pluggable）、ＣＦＰ２、ＣＦＰ４、ＣＦＰ８、ＳＦＰ（Small Form-factor Pluggable）、ＳＦＰ＋、ＳＦＰ２８が挙げられる。さらに、電気コネクタとして、ＱＳＦＰ＋（Quad Small Form-Factor Pluggable Plus）、ＱＳＦＰ２８、ＱＳＦＰ−ＤＤ、ＸＦＰ（10 Gigabit Small Form Factor Pluggable）などが挙げられる。
【００１２】
図１に示すように、プラガブル光インタフェースモジュール１０は、例えば、直方体状に形成され、プリント基板１２を備える。プラガブル光インタフェースモジュール１０は、ホストシステムのケージ１４に挿入して使用される。プラガブル光インタフェースモジュール１０がケージ１４に挿入された状態において、プリント基板１２の電気信号端子（図示せず）が電気コネクタ１６に接続される。
【００１３】
また、プラガブル光インタフェースモジュール１０の挿抜方向に関し、プラガブル光インタフェースモジュール１０のうちプリント基板１２を備える側の反対側の部位１０ａに光ファイバ（図示せず）が接続される。プリント基板１２は、プラガブル光インタフェースモジュール１０をケージ１４に挿入する際に、押込みロッド２５（後述する）に当接する。
以下、プラガブル光インタフェースモジュール１０の挿抜方向のうち、挿入方向を後方と称する場合がある。
また、プラガブル光インタフェースモジュール１０の挿抜方向のうち、抜出方向を前方と称する場合がある。
【００１４】
プラガブル光インタフェースモジュール１０は、ケージ１４に挿入された状態においてロック機構２０により挿入位置に保持される。ロック機構２０は、係止部２１と、ストッパ２２と、作動機構２３と、を備えている。係止部２１および作動機構２３は、ケージ１４の内部に設けられている。ストッパ２２は、プラガブル光インタフェースモジュール１０に設けられている。
係止部２１および作動機構２３がケージ１４の内部に設けられることにより、係止部２１および作動機構２３をプラガブル光インタフェースモジュール１０が備える必要がない。よって、プラガブル光インタフェースモジュール１０の構成は簡素化される。
【００１５】
図２、図３に示すように、作動機構２３は、押込みロッド２５と、回転軸２６と、回転機構２７と、保持部２８と、支持部３１と、弾性部材３２と、を備えている。
押込みロッド２５は、例えば、円柱形状、あるいは円筒形状を有する。
押込みロッド２５は、ケージ１４に固定された電気コネクタ１６に対し、周方向に固定され、かつ、軸方向へ移動可能に電気コネクタ１６に支持されている。
押込みロッド２５が、周方向に固定され、かつ、軸方向へ移動可能に支持されるように構成するには、例えば、押込みロッド２５が外周に軸方向に延びる溝を有し、電気コネクタ１６が内周に突起を有していればよい。
その際、電気コネクタ１６の突起が、押込みロッド２５の軸方向に延びる溝に対向する位置に、押込みロッド２５の軸方向に延びる溝に嵌るように構成されることにより、押込みロッド２５は、周方向に固定され、かつ、軸方向へ移動可能とされる。
例えば、押込みロッド２５が外周に突起を有し、電気コネクタ１６が内周に軸方向に延びる溝を有してもよい。
【００１６】
また、押込みロッド２５は、ケージ１４にプラガブル光インタフェースモジュール１０を挿入する際に、前端部２５ａがプリント基板１２の後端部１２ａに当接する位置に配置されている。押込みロッド２５の前端部２５ａがプリント基板１２の後端部１２ａに当接した状態において、ケージ１４にプラガブル光インタフェースモジュール１０が一層押し込まれる。これにより、プラガブル光インタフェースモジュール１０の押込力により、押込みロッド２５が押込方向（挿入方向）に押し込まれる。
【００１７】
このように、プラガブル光インタフェースモジュール１０をケージ１４に挿入する際に、押込みロッド２５にプリント基板１２が当接する。そのため、プラガブル光インタフェースモジュール１０の押込力により、押込みロッド２５をプリント基板１２により押込方向に押し込むことができる。よって、押込みロッド２５を移動させるために専用の押込部材を用意する必要がない。
これにより、ロック機構２０の部品点数は、少なくできる。また、ロック機構２０の構成が簡素化される。
【００１８】
押込みロッド２５の後方には、回転軸２６が配置されている。
回転軸２６は、電気コネクタ１６に対し回転可能で、かつ、軸方向へ移動可能に、電気コネクタ１６に支持されている。
回転軸２６は、押込みロッド２５で押込方向へ押し込まれることにより、押込方向に対して交差する方向に回転する。
例えば、回転軸２６は、押込みロッド２５で押込方向へ押し込まれることにより、押込方向に対して周方向に回転してもよい。
【００１９】
回転機構２７は、後方側の部分である押込みロッド２５の後端部２５ｂと、前方側の部分である回転軸２６の前端部２６ａとにより構成されている。
回転機構２７は、押込みロッド２５を後方に移動させることで、回転軸２６が押込みロッド２５に対し、周方向に回転するように構成されている。
【００２０】
押込みロッド２５を後方に移動させることで、回転軸２６が周方向に回転するように構成するには、例えば、回転機構２７が、押込みロッド２５の後端部２５ｂに設けられた傾斜面３５と、回転軸２６の前端部２６ａに設けられた突起３６と、を備えればよい。
その際、傾斜面３５と、突起３６とは、押込みロッド２５（又は回転軸２６）の軸中心から径方向にずれた位置において、押込みロッド２５（又は回転軸２６）の軸方向に対向している。
また、傾斜面３５は、押込みロッド２５の後端部２５ｂの軸中心から径方向にずれた位置において、周方向に沿って傾斜するように構成されている。
さらに、突起３６は、回転軸２６の前端部２６ａの軸中心から径方向にずれた位置において、軸方向に前端部２６ａから突起している。
【００２１】
このような構成によれば、押込みロッド２５が後方に移動することで、傾斜面３５に沿って突起３６が周方向に移動するため、回転軸２６は、押込みロッド２５に対し、周方向に回転させることができる。
【００２２】
例えば、回転軸２６を１８０度回転させるために、傾斜面３５は、後端部２５ｂに周方向に少なくとも１８０度の範囲に亘り設けられてもよい。
例えば、対向する傾斜面３５及び突起３６の組は、周方向に複数組設けられてもよい。
【００２３】
本実施形態では、回転機構２７が、押込みロッド２５の後端部２５ｂに設けられた傾斜面３５と、回転軸２６の前端部２６ａに設けられた突起３６と、を備えているが、どのような構成であってもよい。
【００２４】
例えば、回転機構２７は、押込みロッド２５の後端部２５ｂに設けられた突起と、回転軸２６の前端部２６ａに設けられた傾斜面と、を備えてもよい。
また、本実施形態においては、回転機構２７を傾斜面３５と突起３６により構成する例について説明するが、これに限らない。
その他の例として、回転機構２７は、回転軸２６の前端外周に設けられた螺旋状の溝と、押込みロッド２５の後端内周に設けられた突起とを備えてもよい。その際、突起は、螺旋状の溝に対向する位置において、螺旋状の溝に嵌りながら移動自在に構成される。
【００２５】
回転機構２７によれば、押込みロッド２５が後方に押し込まれることにより、傾斜面３５で突起３６を押圧する。これにより、突起３６が傾斜面３５に沿って周方向に移動することにより回転軸２６が回転する。
【００２６】
回転軸２６に保持部２８が設けられている。保持部２８として、例えば、カム部２８が使用されている。実施形態においては、保持部２８としてカム部２８を例に説明するが、保持部２８として他の部材を使用することも可能である。
【００２７】
カム部２８は、例えば、カム面２８ａに一対の隆起面２８ｂと、一対の低面２８ｃと、を有するカム部２８が使用されている。隆起面２８ｂと低面２８ｃとは、例えば、回転軸２６の周方向に交互に、等間隔に形成されている。なお、隆起面２８ｂおよび低面２８ｃの個数や配置箇所は適宜選択することが可能である。
【００２８】
カム部２８の後方に支持部３１が設けられている。
すなわち、支持部３１は、カム部２８に対して押込みロッド２５の反対側に設けられる。
支持部３１は、ケージ１４に固定され、回転軸２６を、回転可能で、かつ、軸方向に移動可能に支持している。
支持部３１とカム部２８との間に弾性部材３２が介在されている。弾性部材３２として、例えば、コイルバネ３２を例示するが、その他の弾性部材を使用することも可能である。
【００２９】
支持部３１とカム部２８との間にコイルバネ３２が介在されることにより、コイルバネ３２の付勢力によりカム部２８が前方へ向けて押し付けられている。よって、コイルバネ３２の付勢力により回転軸２６の前端部２６ａを押込みロッド２５の後端部２５ｂに当接させることができる。これにより、回転機構２７を好適に作動させることができる。
【００３０】
カム部２８の上方に係止部２１が配置されている。係止部２１は、ケージ１４に上下方向へ移動可能に支持された脚部４１と、脚部４１に対して交差する方向に延びる当接部４２と、を有する。脚部４１は、例えば、カム部２８のカム面２８ａに下端部４１ａが弾性部材（図示せず）のばね力により当接している。よって、脚部４１は、カム部２８のカム面２８ａに追従して上下方向に移動する。
【００３１】
当接部４２は、脚部４１の上端部４１ｂからストッパ２２に向けて後方に延びている。係止部２１は、脚部４１および当接部４２で側面視Ｌ字状に形成されている。よって、係止部２１を簡素な形状で形成できる。
【００３２】
係止部２１は、脚部４１の下端部４１ａがカム面２８ａの隆起面２８ｂに当接した状態においてロック位置Ｐ１に保持される。
この状態において、当接部４２の先端部４２ａがストッパ２２（後述する）に当接する。
【００３３】
図４、図５に示すように、係止部２１は、脚部４１の下端部４１ａがカム面２８ａの低面２８ｃに当接した状態においてロック解除位置Ｐ２に保持される。この状態において、当接部４２の先端部４２ａがストッパ２２から回避するようにストッパ２２の下方に位置する。
すなわち、係止部２１は、カム部２８のカム面２８ａに追従してロック位置Ｐ１（図２参照）とロック解除位置Ｐ２とに移動可能に支持されている。
また、保持部２８としてカム部２８を使用することにより、簡単な形状のカム部２８で係止部２１をロック位置Ｐ１とロック解除位置Ｐ２とに移動させることができる。
【００３４】
図２に示すように、係止部２１の後方にストッパ２２が設けられている。
ストッパ２２は、プラガブル光インタフェースモジュール１０の後方の端である後端部（端部）４５に設けられている。
ストッパ２２をプラガブル光インタフェースモジュール１０の後端部４５に設けることにより、ストッパ２２を簡素な構成で強固にプラガブル光インタフェースモジュール１０に取り付けることができる。
【００３５】
つぎに、プラガブル光インタフェースモジュール１０をケージ１４に挿入する例を図１から図５に基づいて説明する。
図４、図５に示すように、係止部２１の脚部４１の下端部４１ａがカム面２８ａの低面２８ｃに当接して、係止部２１がロック位置Ｐ１からロック解除位置Ｐ２に移動してロック解除位置Ｐ２に保持されている。係止部２１がロック解除位置Ｐ２に保持されることにより、当接部４２の先端部４２ａがストッパ２２の下方に位置してストッパ２２から回避されている。
この状態において、プラガブル光インタフェースモジュール１０をケージ１４に矢印Ａの如く後方に挿入する。
【００３６】
プラガブル光インタフェースモジュール１０がケージ１４に挿入されることにより、プラガブル光インタフェースモジュール１０のプリント基板１２が電気コネクタ１６に接続される。また、電気コネクタ１６にプリント基板１２が接続された状態において、プリント基板１２の後端部１２ａが押込みロッド２５の前端部２５ａに当接する。さらに、ストッパ２２が係止部２１を超えて、係止部２１の上側後方に位置する。
この状態において、プラガブル光インタフェースモジュール１０をケージ１４に対し矢印Ａの如く、後方に継続して挿入する。
【００３７】
図１、図２、図３に示すように、プリント基板１２で押込みロッド２５を後方に押し込む。押込みロッド２５が後方に押し込まれることにより、回転機構２７により回転軸２６が回転する。回転軸２６が回転することによりカム部２８が回転する。カム部２８が回転することにより、脚部４１の下端部４１ａがカム面２８ａの隆起面２８ｂに当接した状態に保持される。
よって、係止部２１がロック位置Ｐ１に保持され、当接部４２の先端部４２ａがストッパ２２に当接する。これにより、プラガブル光インタフェースモジュール１０がケージ１４から抜け出すことを係止部２１で防止できる。この状態において、プラガブル光インタフェースモジュール１０がケージ１４に挿入された状態に取り付けられる。
【００３８】
ついで、プラガブル光インタフェースモジュール１０をケージ１４から抜き出す例を図１、図３から図５に基づいて説明する。
図１、図３に示すように、プラガブル光インタフェースモジュール１０がケージ１４に挿入された状態に取り付けられている。この状態において、プラガブル光インタフェースモジュール１０をケージ１４に対し矢印Ａの如く、後方に押し込む。よって、プリント基板１２が後方へ向けて押し込まれ、プリント基板１２により押込みロッド２５が後方に押し込まれる。
押込みロッド２５が後方に押し込まれることにより、回転機構２７により回転軸２６が回転する。回転軸２６が回転することによりカム部２８が回転する。
【００３９】
図４、図５に示すように、カム部２８が回転することにより、脚部４１の下端部４１ａがカム面２８ａの低面２８ｃに当接した状態に保持される。よって、係止部２１がロック位置Ｐ１（図１参照）からロック解除位置Ｐ２に移動してロック解除位置Ｐ２に保持される。
すなわち、当接部４２の先端部４２ａがストッパ２２の下方のストッパ２２を回避した位置に配置される。これにより、プラガブル光インタフェースモジュール１０をケージ１４から抜去できる。
【００４０】
以上説明したように、本実施形態のロック機構２０によれば、プラガブル光インタフェースモジュール１０をケージ１４に挿入する際に押し込むことにより、係止部２１をロック位置Ｐ１に保持できる。この状態において、係止部２１がストッパ２２に当接し、プラガブル光インタフェースモジュール１０をケージ１４に挿入した状態に保持（ロック）できる。
また、プラガブル光インタフェースモジュール１０がケージ１４に保持（ロック）された状態において、プラガブル光インタフェースモジュール１０をケージ１４に押し込むことにより、係止部２１をロック解除位置Ｐ２に保持できる。この状態において、係止部２１がストッパ２２から回避し、プラガブル光インタフェースモジュール１０をケージ１４から抜去できる。
【００４１】
よって、プラガブル光インタフェースモジュール１０から光ファイバを取り外すことなく、プラガブル光インタフェースモジュール１０をケージ１４に挿入した状態に保持（ロック）でき、プラガブル光インタフェースモジュール１０をケージ１４から抜去できる。これにより、例えば、光ファイバを取り外すことにより光コネクタに塵埃などが付着することを防止できる。
【００４２】
また、プラガブル光インタフェースモジュール１０をケージ１４に押し込むことにより、ベイルやプルタブを操作することなく、プラガブル光インタフェースモジュール１０をケージ１４に挿入した状態に保持（ロック）でき、ケージ１４から抜去できる。したがって、プラガブル光インタフェースモジュール１０をケージ１４に挿入した状態に保持（ロック）する際や、ケージ１４から抜去する際に、ベイルやプルタブが可動範囲に位置する物に当たるおそれがなく、操作性の不具合を解消できる。
以上、本実施形態のロック機構２０によれば、挿抜操作における困難性を軽減できる。
【００４３】
＜ロック機構２０の最小構成の第二実施形態＞
ロック機構２０の最小構成の第二実施形態について、図６を参照して説明する。
ロック機構２０は、ストッパ２２と、係止部２１と、作動機構２３と、を備える。
ストッパ２２は、ケージ１４に挿入可能なプラガブル光インタフェースモジュール１０に設けられている。
係止部２１は、ストッパ２２に当接するロック位置Ｐ１と、ストッパ２２から回避するロック解除位置Ｐ２とに移動に支持されている。
作動機構２３は、プラガブル光インタフェースモジュール１０がケージ１４に押し込まれることにより、係止部２１をロック位置Ｐ１と、ロック解除位置Ｐ２とに保持する。
【００４４】
このため、プラガブル光インタフェースモジュール１０をケージ１４に押し込むことにより、係止部２１をストッパ２２に当接させることができる。よって、プラガブル光インタフェースモジュール１０をケージ１４に挿入した状態に保持（ロック）できる。
また、ケージ１４に保持（ロック）されたプラガブル光インタフェースモジュール１０をケージ１４に押し込むことにより、係止部２１をストッパ２２から回避させることができる。よって、プラガブル光インタフェースモジュール１０をケージ１４から抜去できる。これにより、光ファイバを取り外すことにより光コネクタに塵埃などが付着することを防止でき、操作性の不具合を解消できる。
以上、本実施形態のロック機構２０によれば、挿抜操作における困難性を軽減できる。
【００４５】
以上、本発明の実施形態を説明したが、この実施形態は、例として示したものであり、発明の範囲を限定することは意図していない。この実施形態は、その他の様々な形態で実施されることが可能であり、発明の要旨を逸脱しない範囲で種々の省略、置き換え、変更を行うことができる。この実施形態やその変形は、発明の範囲や要旨に含まれると同様に、特許請求の範囲に記載された発明とその均等の範囲に含まれるものとする。
【符号の説明】
【００４６】
１０  プラガブル光インタフェースモジュール
１２  プリント基板
１４  ケージ
２０  ロック機構
２１  係止部
２２  ストッパ
２３  作動機構
２５  押込みロッド
２６  回転軸
２７  回転機構
２８  保持部（カム部）
３１  支持部
３２  弾性部材（コイルバネ）
４１  脚部
４２  当接部
４５  後端部（端部）
Ｐ１  ロック位置
Ｐ２  ロック解除位置
【図１】
2020170039.tif 000003
【図２】
2020170039.tif 000004
【図３】
2020170039.tif 000005
【図４】
2020170039.tif 000006
【図５】
2020170039.tif 000007
【図６】
2020170039.tif 000008
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
ケージに挿入可能なプラガブル光インタフェースモジュールに設けられたストッパと、
前記ストッパに当接するロック位置と、前記ストッパから回避するロック解除位置とに移動可能な係止部と、
作動機構と、を備え、
前記作動機構は、
前記ケージに設けられ、
前記ケージに前記プラガブル光インタフェースモジュールを押し込む際に、前記プラガブル光インタフェースモジュールの押込力により、押込方向に移動可能な押込みロッドと、
前記押込みロッドで押し込まれることにより、押込方向に対して交差する方向に回転する回転軸と、
前記回転軸に設けられ、前記係止部を前記ロック位置と前記ロック解除位置とに保持可能なカム部と、
を備えるロック機構。
【請求項２】
前記プラガブル光インタフェースモジュールは、
押込みロッドに当接することにより、前記プラガブル光インタフェースモジュールの押込力により、前記押込みロッドを押込方向に移動可能なプリント基板を備える請求項１に記載のロック機構。
【請求項３】
前記作動機構は、
前記押込みロッドの押込力により前記回転軸を押込方向に対して交差する方向に回転させる回転機構を備える請求項１または２に記載のロック機構。
【請求項４】
前記作動機構は、
前記回転軸を回転可能に支持する支持部を備える請求項１から３の何れか一項に記載のロック機構。
【請求項５】
前記作動機構は、
前記カム部に対して前記押込みロッドの反対側に設けられ、前記回転軸を回転可能に支持する支持部と、
前記支持部および前記カム部の間に介在され、前記回転軸を前記押込みロッドに当接する弾性部材と、
を備える請求項１から４の何れか一項に記載のロック機構。
【請求項６】
前記弾性部材は、コイルバネである請求項５に記載のロック機構。
【請求項７】
前記係止部は、
前記ケージに設けられ、
前記カム部により移動する方向に延びる脚部と、
前記脚部に対して交差する方向に延びて、先端部が前記ストッパに当接可能な当接部と、
を有する請求項１から６の何れか一項に記載のロック機構。
【請求項８】
前記ストッパは、前記プラガブル光インタフェースモジュールの端部に設けられた請求項１から７の何れか一項に記載のロック機構。